(57)【特許請求の範囲】
【請求項１】
容器本体と、その開口部に嵌合される透明または半透明材料から形成した蓋体とからなる包装用容器であって、
前記蓋体は、大部分を占めることになるフラットな上面と、この上面に連続してラベルを貼付するための傾斜面とを形成したものとし、
前記傾斜面の断面形状を円弧状にし、この傾斜面の延長面が前記蓋体のフランジ上面に接するものとするとともに、この傾斜面と前記フランジとの間に、前記容器本体の開口部内側に係合する下方膨出部を形成したことを特徴とする包装用容器。
【発明の詳細な説明】
【０００１】
【発明の属する技術分野】
本発明は、合成樹脂によって一体成形される包装用容器に関し、特に、包装した内容物の名称や量等をラベルによって表示する場合に使用される包装用容器に関するものである。
【０００２】
【従来の技術】
合成樹脂によって一体成形される包装用容器は、それ自体が安価に提供できることや、収納物を衛生的に包装できること等の理由から、近年では多用されているものであるが、特定商品専用ではなく、一般的かつ汎用的に使用される包装用容器にあっては、蓋体等の上に直接、あるいは全体を包み込んだラップ上に、包装した内容物の名称や量等を表示するラベルが貼付される。このように汎用的に使用することによって、近年の包装用容器は、それ自体のコスト低減をより一層図るようにしているのである。
【０００３】
従来の包装用容器では、その蓋体上面をフラットなものとしておいて、その上面、あるいはこれに支持されるラップ上にラベルを貼付するようにしていたのであるが、その貼付箇所は蓋体上面の中央に偏ることが多い。何故なら、人手によるにせよ、機械によるにせよ、ラベルを蓋体上面の中央に貼付するのが貼りやすいからである。つまり、蓋体上面は、平面であり、ラベルより大きな面であるために、ラベルの折れ曲がりや、はみ出すこともなく、貼付けられるのである。特に、この種のラベル貼付は、限られた時間内にかつ大量に行わなければならないから、ラベル貼付はどうしても蓋体の中央になされることになるのである。
【０００４】
ラベル貼付が蓋体の中央になされていると、このラベルによって当該容器内の物品の視認が困難となる。つまり、この種の包装用容器においては、その蓋体を透明あるいは半透明の合成樹脂材料によって形成して、この蓋体を通して内容物の目による確認等が行えるようにしてあるのであるが、蓋体の中央にラベルが貼付されていれば、その目による内容物の確認がしにくくなるのである。
【０００５】
また、この種の包装用容器は、例えば図４に例示するように、傾斜させた陳列棚上に並べて、その全体が購買者によく見えるように配置することが行われている。ここで、もし、ラベルがフラットな蓋体上面の中央に貼付されていたとすると、購買者にとっては、このラベルを斜めに透かして見なければならないことになり、ラベルに記載されている文字等がよく見えないことになる。
【０００６】
さらに、上面がフラットな蓋体に対してラベルを貼付しようとすると、貼付箇所が特定されていないから、容器によってラベルの位置がバラバラになるだけでなく、急いでラベルを貼付すると、ラベル自体が折れ曲がったりラベルのコーナが捲れ上がったりするため、表示してあるバーコードを読み取れなくしてしまうこともある。
【０００７】
そこで、本発明者は、包装用容器の上記のような現状を改善するにはどうしたらよいか、について鋭意検討を重ねてきた結果、本発明を完成したのである。
【０００８】
【発明が解決しようとする課題】
本発明は以上のような実状に鑑みてなされたもので、その解決しようとする課題は、ラベル貼付をより効果的に行える包装用容器とすることである。
【０００９】
（削除）
【００１０】
すなわち、本発明の目的とするところは、蓋体の上面の外周に、ラベルのための貼付箇所を明確に確保して、ラベル貼付を一定した範囲で行うことができて、ラベルを見易くできるとともに、内容物の視認をラベルに邪魔されることなく行え、しかも方向性のある包装用容器を提供することができる他、ラベル貼付をより確実に行うことができて、しかもラベルの貼り直しを行うことのできる包装用容器を提供することにある。
【００１１】
【課題を解決するための手段】
以上の課題を解決するために、本発明の採った手段は、後述する実施の形態の説明中で使用する符号を付して説明すると、
「容器本体１０と、その開口部に嵌合される透明または半透明材料から形成した蓋体２０とからなる包装用容器１００であって、
蓋体２０は、大部分を占めることになるフラットな上面２１と、この上面２１に連続してラベルＬを貼付するための傾斜面２２とを形成したものとし、
傾斜面２２の断面形状を円弧状にし、この傾斜面２２の延長面が蓋体２０のフランジ２３上面に接するものとするとともに、この傾斜面２２とフランジ２３との間に、容器本体１０の開口部内側に係合する下方膨出部２４を形成したことを特徴とする包装用容器１００」
である。
【００１２】
すなわち、この包装用容器１００では、図１及び図４に示すように、その容器本体１０の上端開口部に嵌合される蓋体２０の上面２１上であって、上面２１の外周の部分に傾斜面２２を形成したものであり、この傾斜面２２は、図２及び図３にも示すように、外周に向けて平面的にかつなだらかに傾斜するものである。
【００１３】
以上のように構成した本発明の包装用容器１００によれば、図１及び図２に示すように、図示右側のラベルＬを貼付するための傾斜面２２が、図示左側のフラットで蓋体２０の大部分を占める上面２１に対して明確に区別された箇所となっており、この傾斜面２２に対して間違いなくラベルＬを貼付することができるものとなっている。特に、この傾斜面２２は、図示右側に向けて平面的にかつなだらかに傾斜するものであるから、これにラベルＬを貼付する作業を容易に行うことができるだけでなく、急いでラベルＬを貼付したとしても、ラベルＬ自体が折れ曲がったり、そのコーナが捲れ上がったりすることはない。従って、このラベルＬに表示してあるバーコードを読み取れなくしたり、ラベルＬの貼付し直しを行う必要が殆どないのである。
【００１４】
以上のように、蓋体２０の上面２１の外周位置にラベルＬを貼付した包装用容器１００を、例えば図４に示すように、傾斜させた陳列棚上に載せた場合、包装用容器１００内の収納物の大部分は、蓋体２０の大部分を占めてフラットな上面２１の中央から見えることになるから、購買者は当該包装用容器１００内の内容物の視認を容易かつ確実に行えるのである。そして、ラベルＬは、図３にも示すように、購買者の目に略直角となるように傾斜しているのであるから、このラベルＬに表示してある記載事項の確認を、購買者は確実に行うことができるのである。
【００１５】
（削除）
【００１６】
また、この包装用容器１００では、ラベルＬの貼付を、蓋体２０が有しているフランジ２３をも利用して行えるようにしたものであり、図２及び図５に示すように、傾斜面２２の延長面が蓋体２０のフランジ２３上面に接するようにしたものである。これにより、図５中の仮想線に示したように、ラベルＬの端部の貼付をフランジ２３上でも行うことができるのであり、蓋体２０の上面２１をさらに大きく明けて上面２１からの視認をより一層確実にすることができるだけでなく、ラベルＬの貼付をより確実に行うことができるのである。
【００１７】
すなわち、この包装用容器１００では、図４等に示したように、傾斜面２２とフランジ２３との間に、容器本体１０の開口部内側に係合する下方膨出部２４を形成したから、この下方膨出部２４部分に指を入れることにより、貼付し直しが必要なラベルＬの剥離、あるいは包装用容器１００全体に掛けてあるラップの取り外し等を、簡単に行えるものとなっている。
【００１８】
【発明の実施の形態】
以上のように構成した本発明を、図面に示した実施の形態である包装用容器１００について説明する。
【００１９】
図１には、本発明に係る包装用容器１００の平面図が示してあるが、この包装用容器１００は、図４に示したように、収納すべき内容物を入れた容器本体１０の上端開口部に、蓋体２０を嵌合してその内部の収納物を保護するようにしたものである。勿論、これらの容器本体１０及び蓋体２０は、合成樹脂シートから真空または圧空成形したものであり、特に蓋体２０は透明または半透明材料から形成したものである。なお、図１の包装用容器１００では、所謂「小判」型のものとしているが、その蓋体２０にラベルＬが貼付されるものであれば、この「小判」型に限られないことは言うまでもない。
【００２０】
容器本体１０の上端開口に嵌合されるべき蓋体２０は、図１〜図５に示したように、大部分を占めることになるフラットな上面２１と、この上面２１に連続する傾斜面２２を有しているものである。すなわち、傾斜面２２は、上面２１に連続するものではあるが、上面２１の中央部分を大きく明けた状態で形成したものである。具体的には、この傾斜面２２は、図１に示すように、上面２１全体の１／４程度の幅のものであり、その結果、図３に示すように、一端のフランジ２３上に向けてなだらかに傾斜するものである。
【００２１】
実施形態における傾斜面２２は、なだらかに傾斜させるために、図２に示したように、断面が円弧状になるようにしたものである。
【００２２】
この実施形態の傾斜面２２は、特に図５に示したように、その延長面が蓋体２０のフランジ２３上面に接するようにしたものであり、このことによって、当該傾斜面２２の貼付位置を上面２１上に限らないで確保できるようにしている。勿論、このフランジ２３は、傾斜面２２との間に下方膨出部２４を介して形成したものであり、容器本体１０側の図示しないフランジ上に係合するものである。なお、下方膨出部２４は、容器本体１０の上端開口の内側に係合して、蓋体２０の位置決めを行うのに使用されるとともに、図６に示したように、多数の蓋体２０を積み上げる（スタッキング）際のはまり込み防止を果たすものでもある。
【００２３】
【発明の効果】
以上、詳述した通り、本発明に係る包装用容器１００によれば、
「容器本体１０と、その開口部に嵌合される透明または半透明材料から形成した蓋体２０とからなる包装用容器１００であって、
蓋体２０は、大部分を占めることになるフラットな上面２１と、この上面２１に連続してラベルＬを貼付するための傾斜面２２とを形成したものとし、
傾斜面２２の断面形状を円弧状にし、この傾斜面２２の延長面が蓋体２０のフランジ２３上面に接するものとするとともに、この傾斜面２２とフランジ２３との間に、容器本体１０の開口部内側に係合する下方膨出部２４を形成したこと」
にその構成上の特徴があり、これにより、ラベルＬのための貼付箇所を明確に確保することができて、ラベルＬの貼付を一定した範囲で行うことができて、ラベルＬを見易くできるとともに、蓋体２０の大部分を占める上面２１を通して内容物の視認をラベルＬに邪魔されることなく行える包装用容器１００を、簡単な構造によって提供することができるのである。
【００２４】
すなわち、この包装用容器１００によると、ラベルＬの貼付が蓋体の中央を避けて行われることになるから、このラベルＬによって当該容器１００内の物品の視認を容易に行うことができる。つまり、この種の包装用容器１００においては、その蓋体２０を透明あるいは半透明の合成樹脂材料によって形成して、この蓋体２０を通して内容物の目による確認等が行えるようにしてあるのであるが、その目による内容物の確認が容易に行えるのである。
【００２５】
また、この包装用容器１００によれば、図４に例示するように、その全体が購買者によく見えるように配置するために、傾斜させた陳列棚上に並べたとき、ラベルＬが購買者の目に略直角に見えることになり、ラベルＬに記載されている文字等がよく見えるのである。
【００２６】
さらに、この包装用容器１００によれば、ラベルＬの貼付箇所が特定されているから、容器によってラベルＬの位置がバラバラになることはなく、急いでラベルＬを貼付したとしても、ラベルＬ自体が折れ曲がったりコーナが捲れ上がったりすることはなく、これに表示してあるバーコードが読み取れなくなるようなことはないのである。
【００２７】
そして、この包装用容器１００によれば、上述したのと同様な効果を発揮できる他、ラベルＬ貼付のための十分な場所を確保することができて、ラベルＬ貼付をより確実に行うことができて、しかもラベルＬの貼り直しをも行うことができるのである。
【図面の簡単な説明】
【図１】本発明に係る包装用容器の平面図である。
【図２】図１中の１−１線に沿ってみた蓋体の部分破断拡正面図である。
【図３】同包装用容器を構成している蓋体の拡大正面図である。
【図４】本発明に係る包装用容器を傾斜している陳列棚上に載置したときの状態を示す側面図である。
【図５】図２中の２−２線部の部分拡大断面図である。
【図６】本発明に係る包装用容器の蓋体を積み上げたときの状態を示す部分断面図である。
【符号の説明】
１００  包装用容器
１０  容器本体
２０  蓋体
２１  上面
２２  傾斜面
２３  フランジ
２４  下方膨出部
Ｌ  ラベル
【図１】
0003584347.tif 000002
【図２】
0003584347.tif 000003
【図３】
0003584347.tif 000004
【図４】
0003584347.tif 000005
【図５】
0003584347.tif 000006
【図６】
0003584347.tif 000007